(57)【要約】遊離した油脂、脂肪、グリースは水や廃水を汚染し、これら汚染物質は効率的なセパレータシステムにより分離することができ、汚染物質を最大濃度で回収できる。
2004527375.tif 000002
【特許請求の範囲】
【請求項１】
廃水から油脂、脂肪やグリースなどを除去するための連続フローセパレータであって、
縦型円筒容器と、縦型円筒容器底部の中央に配置された廃水入口と、
前記容器内中央部に配置され、前記入口と流体連通し、上端に開口部を有する垂直上昇パイプと、
前記容器内で前記上昇パイプの上方に配置された第１バッフルプレートと、
前記上昇パイプの上端と油脂出口パイプとの間に配置された遊離油脂部分と、
前記遊離油脂部分から油脂を除去するための第１油脂出口パイプと、
前記上昇チューブと、前記遊離油脂部分と流体連通している前記上昇チューブを囲む第１スリーブとの間で形成された第１環状チャンバーと、
前記第１スリーブを囲む第２スリーブと、前記第１環状チャンバーの底部と流体連通している前記第２スリーブの底部との間で形成された第２環状チャンバーと、
第２スリーブと、前記円筒容器の外壁との間で形成され、その上端部が前記第２環状チャンバーの上端部と流体連通している第３環状チャンバーと、
第２スリーブの上方に配置され、第２、第３環状チャンバーを遊離油脂部分から分離する第２バッフルプレートと、
第２、第３環状チャンバーの上端から油脂を除去するための少なくとも一つの第２油脂出口パイプと、
第３環状チャンバーの底部に配置された散布パイプに接続される空気入口と、
第３環状チャンバーの底部に配置された廃水出口と、
を具備する連続フローセパレータ。
【発明の詳細な説明】
【技術分野】
【０００１】
本発明は、水または同様な液体の連続流れから遊離油脂、脂肪やグリースを除去する方法に関する。本システムはチャンバー内で遊離した油脂、脂肪やグリースを効率的方法で分離でき、分離された遊離油脂、脂肪やグリースは、濃縮された形でチャンバーの上部から除去され、一方、大幅に遊離油脂、脂肪やグリースが低減された水は、外部レベル制御装置を介してチャンバーの底部から抜き取られる。
【発明の開示】
【発明が解決しようとする課題】
【０００２】
大多数の業界で、遊離油脂、脂肪やグリースで汚染された液体廃棄物の処理及び廃棄処分の問題に直面している。この種の廃棄物は地球環境に対して重大な脅威となるので、このような廃棄物を除去し、清浄な水が下水、水処理施設、河川や海に放出できるようにするためのシンプルで費用対効果の高い解決方法が必要とされている。
【課題を解決するための手段】
【０００３】
本発明は、縦型円筒容器に関し、その内部にエンドプレートを設けた円筒とエンドプレート無しの円筒が設けられ、一連の環状の縦型流路を形成する。この構成により、遊離油脂、脂肪やグリースで汚染された液体を環状部分を介して上昇方向または下降方向へ流すことができる。この流れは超低速であるので、遊離油脂、脂肪やグリースは融合して、垂直方向に上昇し、流れから分離されて、縦型円筒の上端部に遊離油脂、脂肪およびグリースによる層が形成され、オーバーフロー出口から除去できるようになる。汚染が除去された水相は、円筒容器の底部の出口から排出可能である。外部レベル制御装置の取付けにより、縦型円筒容器内の水／遊離油脂、脂肪およびグリースの割合が可変的に制御可能となる。
【発明を実施するための最良の形態】
【０００４】
<実施例>
図１を参照。
遊離油脂、脂肪やグリースで汚染された水などの液体が、非乳化ポンプによって逆流セパレータに入口（１）から供給され、油脂を含んだ水は中央部に配置された入口パイプ（２）中を上昇し、このパイプのサイズは必要流量に適合する。油脂を含んだ水は、垂直上昇パイプの出口部に達すると、２つの流れに分かれ、この流れのうちの一つは、バッフルプレート（３）に衝突する大きい油滴状の流れであり、このバッフルプレートは逆向き円錐形状であり、一つ以上の支柱によってスリーブ（１６）の上部に対して支持されている。キャリア液である水の比重より小さい比重を有するこれらの大きい油滴は、逆向き円錐（３）の下側で融合し、上昇してキャリア液（この場合、水）の表面に浮遊し、遊離油脂部分（４）で油層を形成する。一方、サイズの異なる微細な油滴を含むキャリア液である水は、外部本体（１７）と内部スリーブ（１６）によって形成された環状チャンバーを介して下降方向に移動する。
【０００５】
外部本体（１７）とスリーブ（１６）との間でのこの下降運動の速度は、残存しているよりも大きな油滴はキャリア液である水よりも比重が軽く互いに融合し、キャリア液である水の下降流とは逆方向に反転、上昇し始める速度であるので、チャンバー（５）内でさらに分離が行なわれる。
【０００６】
互いに融合し、上昇するより大きい油滴は、既に分離されている油脂と遊離油脂部分（４）で最終的に一体となる。
【０００７】
微細油滴を伴うキャリア液である水は、下降方向に搬送され、環状チャンバー（５）の底部に達し、スリーブ（１６）とスリーブ（１８）の間の環状チャンバー（７）内を上昇方向に方向転換する。ここで微細油滴はキャリア液である水とともに上昇し、これら微細油滴は、環状部分（７）内での上昇運動時に融合し、大きい油滴を形成する。
【０００８】
これら大きい油滴は、環状チャンバー（７）の上端部でバッフルプレート（８）に衝突し、油脂とキャリア液である水との比重の差により、小さい融合油滴は一つ以上の出口パイプ（９）を介して垂直に上昇し、油脂回収部である遊離油脂部分（４）に到達する。
【０００９】
このようにして多少の油脂分が除去されたキャリア液である水は、スリーブ（１８）と入口パイプ（２）の外部との間の環状部分（１０）内へ移動し、下降方向へ移動する。
【００１０】
微量の空気（２０）が環状部分（１０）の底部の接続部（１９）と散布パイプ（２１）を介して導入され、この空気が上昇して、環状部分（１０）を介して下降方向に搬送されるいかなる微細油滴にも付着し、キャリア液である水から残存するいかなる微細油滴も分離する。
【００１１】
微細油滴は空気によって垂直に上昇し、環状体（１０）の上端まで搬送され、そこで油脂は他の大きい油滴と衝突プレート（８）上で融合し、空気及び融合した油滴は、一つ以上のパイプ（９）を介して油脂回収部分であるの遊離油脂部分（４）へと上昇する。
【００１２】
このようにして多少の油脂分が除去され、環状チャンバー（１０）に存在するキャリア液である水は、出口チャンバー（１１）へ向かって下降運動を行ない、出口パイプ（１２）へと動く。このパイプは、キャリア液である水の上面に遊離油脂レベルが上昇し、遊離油脂が油脂出口接続部（１３）から放出できるようになるまで遊離油脂部分（４）のレベルを保持させることが可能なように、垂直方向の上昇／下降運動における調整が可能である。
【００１３】
いかなる固形物質も出口チャンバー（１１）内に集積し、出口（１４）から除去できるように装置を設けておく。
【図面の簡単な説明】
【００１４】
【図１】本発明に係る連続フローセパレータの概略構成を示す図である。
【図２】本発明に係る連続フローセパレータの概略構成を示す図である。
【図３】本発明に係る連続フローセパレータの概略構成を示す別の図である。
【図４】本発明に係る連続フローセパレータの概略構成を示す更に別の図である。
【図５】本発明に係る連続フローセパレータの構成とその動作を説明するための説明図である。
【図１】
2004527375.tif 000003
【図２】
2004527375.tif 000004
【図３】
2004527375.tif 000005
【図４】
2004527375.tif 000006
【図５】
2004527375.tif 000007
【国際公開パンフレット】
2004527375.tif 000008
2004527375.tif 000009
2004527375.tif 000010
2004527375.tif 000011
2004527375.tif 000012
2004527375.tif 000013
2004527375.tif 000014
2004527375.tif 000015
2004527375.tif 000016
2004527375.tif 000017
2004527375.tif 000018
2004527375.tif 000019
【国際公開パンフレット（コレクトバージョン）】
2004527375.tif 000020
2004527375.tif 000021
2004527375.tif 000022
2004527375.tif 000023
2004527375.tif 000024
2004527375.tif 000025
2004527375.tif 000026
2004527375.tif 000027
【手続補正書】
【提出日】平成15年8月20日(2003.8.20)
【手続補正１】
【補正対象書類名】特許請求の範囲
【補正対象項目名】全文
【補正方法】変更
【補正の内容】
【特許請求の範囲】
【請求項１】
廃水から油脂、脂肪やグリースなどを除去するための連続フローセパレータであって、
縦型円筒容器（１７）と縦型円筒容器底部の中央に配置された廃水入口（１）と、
前記容器内中央部に配置され、前記入口と流体連通し、上端に開口部を有する垂直上昇パイプ（２）と、
前記容器内で前記上昇パイプ（２）の上方に配置された第１バッフルプレート（３）と、
前記上昇パイプ（２）の上端と油脂出口パイプ（１３）との間に配置された遊離油脂部分（４）と、
前記遊離油脂部分（４）から油脂を除去するための第１油脂出口パイプ（１３）と、
前記上昇チューブ（２）と、前記遊離油脂部分と流体連通している前記上昇チューブを囲む第１スリーブ（１８）との間で形成された第１環状チャンバー（１０）と、
前記第１スリーブ（１８）を囲む第２スリーブ（１６）と、前記第１環状チャンバー（１０）の上端と流体連通している前記第１スリーブの上端との間で形成された第２環状チャンバー（７）と、
第２スリーブ（１６）と、前記円筒容器（１７）の外壁との間で形成され、その底部が前記第２環状チャンバーと流体連通している第３環状チャンバー（５）と、
第２スリーブ（１６、１８）の上方に配置され、第１、第２環状チャンバーを遊離油脂部分から分離する第２バッフルプレート（８）と、
第１、第２環状チャンバーの上端から油脂を除去するための少なくとも一つの第２油脂出口パイプ（９）と、
第１環状チャンバー（１０）の底部に配置された散布パイプ（２１）に接続される空気入口と、
第１環状チャンバーの底部に配置された廃水出口（１２）と、
を具備する連続フローセパレータ。
【請求項２】
前記連続フローセパレータは、さらに、廃水を廃水入口（１）へ供給するポンプから構成される請求項１に記載の連続フローセパレータ。
【請求項３】
前記ポンプは非乳化ポンプである請求項２に記載の連続フローセパレータ。
【請求項４】
前記第１バッフルプレート（３）は逆向き円錐形状である請求項１に記載の連続フローセパレータ。
【請求項５】
容器内で液体レベルを制御するために前記出口パイプ（１２）は垂直方向へ調整可能である請求項１に記載の連続フローセパレータ。
【請求項６】
前記出口チャンバーは前記出口チャンバー内に集積する固形物の除去を可能とする固形物廃棄出口（１４）を具備する請求項１に記載の連続フローセパレータ。
【手続補正２】
【補正対象書類名】明細書
【補正対象項目名】全文
【補正方法】変更
【補正の内容】
【発明の詳細な説明】
【技術分野】
【０００１】
本発明は、水または同様な液体の連続流れから遊離油脂、脂肪やグリースを除去する方法に関する。本システムはチャンバー内で遊離した油脂、脂肪やグリースを効率的方法で分離でき、分離された遊離油脂、脂肪やグリースは、濃縮された形でチャンバーの上部から除去され、一方、大幅に遊離油脂、脂肪やグリースが低減された水は、外部レベル制御装置を介してチャンバーの底部から抜き取られる。
【発明の開示】
【発明が解決しようとする課題】
【０００２】
大多数の業界で、遊離油脂、脂肪やグリースで汚染された液体廃棄物の処理及び廃棄処分の問題に直面している。この種の廃棄物は地球環境に対して重大な脅威となるので、このような廃棄物を除去し、清浄な水が下水、水処理施設、河川や海に放出できるようにするためのシンプルで費用対効果の高い解決方法が必要とされている。
【課題を解決するための手段】
【０００３】
本発明は、縦型円筒容器に関し、その内部にエンドプレートを設けた円筒とエンドプレート無しの円筒が設けられ、一連の環状の縦型流路を形成する。この構成により、遊離油脂、脂肪やグリースで汚染された液体を環状部分を介して上昇方向または下降方向へ流すことができる。この流れは超低速であるので、遊離油脂、脂肪やグリースは融合して、垂直方向に上昇し、流れから分離されて、縦型円筒の上端部に遊離油脂、脂肪およびグリースによる層が形成され、オーバーフロー出口から除去できるようになる。汚染が除去された水相は、円筒容器の底部の出口から排出可能である。外部レベル制御装置の取付けにより、縦型円筒容器内の水／遊離油脂、脂肪およびグリースの割合が可変的に制御可能となる。
【発明を実施するための最良の形態】
【０００４】
<実施例>
図を参照（図１）。
遊離油脂、脂肪やグリースで汚染された水などの液体が、非乳化ポンプによって逆流セパレータに入口（１）から供給され、油脂を含んだ水は中央部に配置された入口パイプ（２）中を上昇し、このパイプのサイズは必要流量に適合する。油脂を含んだ水は、垂直上昇パイプの出口部に達すると、２つの流れに分かれ、この流れのうちの一つは、バッフルプレート（３）に衝突する大きい油滴状の流れであり、このバッフルプレートは逆向き円錐形状であり、一つ以上の支柱によってスリーブ（１６）の上部に対して支持されている。キャリア液である水の比重より小さい比重を有するこれらの大きい油滴は、逆向き円錐（３）の下側で融合し、上昇してキャリア液（この場合、水）の表面に浮遊し、遊離油脂部分（４）で油層を形成する。同時に、サイズの異なる微細な油滴を含むキャリア液である水は、外部本体（１７）と内部スリーブ（１６）によって形成された環状チャンバーを介して下降方向に移動する。
【０００５】
外部本体（１７）とスリーブ（１６）との間でのこの下降運動の速度は、残存しているよりも大きな油滴はキャリア液である水よりも比重が軽く互いに融合し、キャリア液である水の下降流とは逆方向に反転、上昇し始める速度であるので、チャンバー（５）内でさらに分離が行なわれる。
【０００６】
互いに融合し、上昇するより大きい油滴は、既に分離されている油脂と遊離油脂部分（４）で最終的に一体となる。
【０００７】
微細油滴を伴うキャリア液である水は、下降方向に搬送され、環状チャンバー（５）の底部に達し、スリーブ（１６）とスリーブ（１８）の間の環状チャンバー（７）内を上昇方向に方向転換する。ここで微細油滴はキャリア液である水とともに上昇し、これら微細油滴は、環状部分（７）内での上昇運動時に融合し、大きい油滴を形成する。
【０００８】
これら大きい油滴は、環状チャンバー（７）の上端部でバッフルプレート（８）に衝突し、油脂とキャリア液である水との比重の差により、小さい融合油滴は一つ以上の出口パイプ（９）を介して垂直に上昇し、油脂回収部である遊離油脂部分（４）に到達する。
【０００９】
このようにして多少の油脂分が除去されたキャリア液である水は、スリーブ（１８）と入口パイプ（２）の外部との間の環状部分（１０）内へ移動し、下降方向へ移動する。
【００１０】
微量の空気（２０）が環状部分（１０）の底部の接続部（１９）と散布パイプ（２１）を介して導入され、この空気が上昇して、環状部分（１０）を介して下降方向に搬送されるいかなる微細油滴にも付着し、キャリア液である水から残存するいかなる微細油滴も分離する。
【００１１】
微細油滴は空気によって垂直に上昇し、環状体（１０）の上端まで搬送され、そこで油脂は大きい油滴と衝突プレート（８）上で融合し、空気及び融合した油滴は、一つ以上のパイプ（９）を介して油脂回収部分であるの遊離油脂部分（４）へと上昇する。
【００１２】
このようにして大部分の油脂分が除去され、環状チャンバー（１０）から出るキャリア液である水は、各出口チャンバー（１１）へ向かって下降運動を行い、出口パイプ（１２）へと動く。このパイプは、キャリア液である水の上面に遊離油脂レベルが上昇し、遊離油脂が油脂出口接続部（１３）から放出できるようになるまで遊離油脂部分（４）のレベルを保持させることが可能なように、垂直方向の上昇／下降運動における調整が可能である。
【００１３】
いかなる固形物質も出口チャンバー（１１）内に集積し、出口（１４）から除去できるように装置を設けておく。
【図面の簡単な説明】
【００１４】
【図１】本発明に係る連続フローセパレータの構成を示す断面図である。


【手続補正３】
【補正対象書類名】図面
【補正対象項目名】全図
【補正方法】変更
【補正の内容】
【図１】
2004527375.tif 000028
【国際調査報告】
2004527375.tif 000029